(57)【特許請求の範囲】
【請求項１】
互いに隣接する養生シート同士を連結する連結機構であって、
一方の養生シートは、矩形状の第一シート本体部と、該第一シート本体部における他方の養生シート側に臨む第一側縁部の裏面側に取り付けられた長手方向に平行な側縁を有する帯状補助シート部と、を備え、
前記第一シート本体部の第一側縁部には、該第一側縁部の端縁に沿って第一連結用貫通孔が複数設けられており、
前記帯状補助シート部の長手側縁は、前記第一側縁部の端縁に平行とされ、かつ該長手側縁のうち他方の養生シートに近い第一長手側縁が前記第一シート本体部に固定されることにより、該帯状補助シート部が該第一シート本体部と重なるように内向きに差し出されており、さらに該帯状補助シート部には、該第一長手側縁とは反対側で先端側となる第二長手側縁に沿って前記第一連結用貫通孔に対応する位置に補助貫通孔が複数設けられており、
他方の養生シートは、矩形状の第二シート本体部を備え、
前記第二シート本体部の側縁部のうち、一方の養生シート側に臨む第二側縁部には、該第二側縁部の端縁に沿って前記第一連結用貫通孔に対応する位置に第二連結用貫通孔が複数設けられており、
互いに隣接する養生シート同士が連結された状態にあっては、一方の養生シートの帯状補助シート部が、固定された第一長手側縁を折り曲げ部として前記差し出し方向とは逆側に折り返されることにより該帯状補助シート部の先端側となる第二長手側縁が他方の養生シートに向けて突き出され、かつ該帯状補助シート部が、該他方の養生シートの第二側縁部と重合し、前記第一連結用貫通孔に挿通されて縛り付けられた紐状の連結手段の一方の紐端が、前記補助貫通孔に表側から挿通されて一方の養生シートの裏面側に位置し、かつ他方の紐端が、前記第二連結用貫通孔に表側から挿通された後、該補助貫通孔に表側から挿通されて一方の養生シートの裏面側に位置して締結されている
ことを特徴とする養生シート連結機構。
【請求項２】
請求項１に記載の養生シート連結機構を用いた養生シートが、該養生シートの裏面に配置された構造部材に架設されてなる養生シート付き構築物であって、
一方の養生シートの帯状補助シート部が、他方の養生シートの第二側縁部と重合した状態で、前記第一連結用貫通孔に挿通されて縛り付けられた紐状の連結手段の一方の紐端が、前記補助貫通孔に表側から挿通されて一方の養生シートの裏面側に位置し、かつ他方の紐端が、前記第二連結用貫通孔に表側から挿通された後、該補助貫通孔に表側から挿通されて一方の養生シートの裏面側に位置し、両紐端が構造部材に巻き付けられて締結されることにより、連結した養生シート同士が前記構造部材に固定されてなる
ことを特徴とする養生シート付き構築物。
【請求項３】
請求項２に記載の養生シート付き構築物にあって、互いに隣接する養生シート同士を、該養生シートの裏面に配置された構造部材に固定しつつ、連結状態とする養生シート設置方法であって、
一方の養生シートの帯状補助シート部を、折り返して他方の養生シートに向けて突き出し、かつ該帯状補助シート部を、他方の養生シートの第二側縁部に重ね合わせつつ、前記第一連結用貫通孔に挿通されて縛り付けられた紐状の連結手段の一方の紐端を、前記補助貫通孔に表側から挿通して一方の養生シートの裏面側に位置させ、かつ他方の紐端を、前記第二連結用貫通孔に表側から挿通した後、該補助貫通孔に表側から挿通して一方の養生シートの裏面側に位置させて、両紐端を構造部材に巻き付けて締結することにより、連結した養生シート同士を前記構造部材に固定するようにした
ことを特徴とする養生シート設置方法。
【発明の詳細な説明】
【技術分野】
【０００１】
本発明は、建設工事現場に設置された足場等に取り付けられる養生シート、該養生シートを用いた養生シート連結機構、該養生シート連結機構を用いた養生シート付き構築物、及び、養生シート同士を足場等の構造部材に固定する養生シート設置方法に関するものである。
【背景技術】
【０００２】
建設工事現場にあっては、塗料の飛散防止、道具等の外側への落下防止、あるいは作業者の安全確保等の目的により、いわゆる足場等の構造部材に養生シート（安全ネット）が設置されて工事現場が養生シートによって囲繞されていることは良く知られている。例えば、図４に示すように、汎用の養生シートＸは、矩形状をなし、側縁部に複数の連結用貫通孔Ｙが形成されている。そして、この養生シートＸを設置する際には、各連結用貫通孔Ｙに結束紐（図示省略）を挿通して養生シートＸ，Ｘ同士を連結させ、かつ足場等の構造部材に固定するようにしている。
【０００３】
さらに、養生シートを連結させた部位に隙間が生じて、この隙間から塗料が飛散したり道具等が外側に落下したりすることを防止すべく、いくつかの提案がなされている（例えば、特許文献１，２参照）。
【先行技術文献】
【特許文献】
【０００４】
【特許文献１】特許第４４９１５０１号公報
【特許文献２】特許第４４９１５０８号公報
【発明の概要】
【発明が解決しようとする課題】
【０００５】
しかしながら、特許文献１，２に記載の構成は、一般的に良く使用されている汎用の養生シートとは構造や使用形態が異なり、また部品点数も多くなるため、製品コストが高騰するという問題がある。また、運搬時や収納時は養生シートを筒状に丸めておくが、シート本体に取り付けられた分岐部が外側に張り出しているため、丸めにくく、しかも丸めた際に端部から前記分岐部が突き出すため、運びにくい、あるいは収納しにくいなどの問題がある。
【０００６】
本発明は、かかる問題点に鑑みてなされたものであり、設置した際に養生シート間に隙間ができず、かつ汎用品から容易に製造可能であり、しかも運搬時や収納時にコンパクトな形態とすることができる養生シート、さらには、養生シート連結機構、養生シート付き構築物、及び養生シート設置方法を提供することを目的とする。
【課題を解決するための手段】
【０００７】
本発明は、互いに隣接する養生シート同士を連結する連結機構であって、一方の養生シートは、矩形状の第一シート本体部と、該第一シート本体部における他方の養生シート側に臨む第一側縁部の裏面側に取り付けられた長手方向に平行な側縁を有する帯状補助シート部と、を備え、前記第一シート本体部の第一側縁部には、該第一側縁部の端縁に沿って第一連結用貫通孔が複数設けられており、前記帯状補助シート部の長手側縁は、前記第一側縁部の端縁に平行とされ、かつ該長手側縁のうち他方の養生シートに近い第一長手側縁が前記第一シート本体部に固定されることにより、該帯状補助シート部が該第一シート本体部と重なるように内向きに差し出されており、さらに該帯状補助シート部には、該第一長手側縁とは反対側で先端側となる第二長手側縁に沿って前記第一連結用貫通孔に対応する位置に補助貫通孔が複数設けられており、他方の養生シートは、矩形状の第二シート本体部を備え、前記第二シート本体部の側縁部のうち、一方の養生シート側に臨む第二側縁部には、該第二側縁部の端縁に沿って前記第一連結用貫通孔に対応する位置に第二連結用貫通孔が複数設けられており、互いに隣接する養生シート同士が連結された状態にあっては、一方の養生シートの帯状補助シート部が、固定された第一長手側縁を折り曲げ部として前記差し出し方向とは逆側に折り返されることにより該帯状補助シート部の先端側となる第二長手側縁が他方の養生シートに向けて突き出され、かつ該帯状補助シート部が、該他方の養生シートの第二側縁部と重合し、前記第一連結用貫通孔に挿通されて縛り付けられた紐状の連結手段の一方の紐端が、前記補助貫通孔に表側から挿通されて一方の養生シートの裏面側に位置し、かつ他方の紐端が、前記第二連結用貫通孔に表側から挿通された後、該補助貫通孔に表側から挿通されて一方の養生シートの裏面側に位置して締結されていることを特徴とする養生シート連結機構である。
【０００８】
上記構成における養生シートは、一般的に良く使用されている汎用の養生シートに、帯状のシート材を取り付けるだけで作製できるため、製品コストが高騰することがない。また、養生シートの設置に際し、部品数が従前に比して増えることもないため、設置の作業に手間がかからない利点もある。また、前記帯状補助シート部の外側となる第一長手側縁がシート本体に固定されているため、運搬時や収納時に養生シートを筒状に丸めた場合にも、その端部から帯状補助シート部が外側に突き出すことがなく、コンパクトな形態とすることができる。
【００１０】
さらに上記構成にあっては、一方の養生シートと他方の養生シートとの間に、帯状補助シート部が介在することとなるため、シート連結部位に隙間が生じることがない。したがって、塗料の飛散、道具等の外側への落下を確実に防止することができる。
【００１１】
また、本発明は、上記養生シート連結機構を用いた養生シートが、該養生シートの裏面に配置された構造部材に架設されてなる養生シート付き構築物であって、一方の養生シートの帯状補助シート部が、他方の養生シートの第二側縁部と重合した状態で、前記第一連結用貫通孔に挿通されて縛り付けられた紐状の連結手段の一方の紐端が、前記補助貫通孔に表側から挿通されて一方の養生シートの裏面側に位置し、かつ他方の紐端が、前記第二連結用貫通孔に表側から挿通された後、該補助貫通孔に表側から挿通されて一方の養生シートの裏面側に位置し、両紐端が構造部材に巻き付けられて締結されることにより、連結した養生シート同士が前記構造部材に固定されてなることを特徴とする養生シート付き構築物である。
【００１２】
上記構成とすることにより、簡素な養生シート付き構築物を提供することができる。
【００１３】
さらに、本発明は、上記養生シート付き構築物にあって、互いに隣接する養生シート同士を、該養生シートの裏面に配置された構造部材に固定しつつ、連結状態とする養生シート設置方法であって、一方の養生シートの帯状補助シート部を、折り返して他方の養生シートに向けて突き出し、かつ該帯状補助シート部を、他方の養生シートの第二側縁部に重ね合わせつつ、前記第一連結用貫通孔に挿通されて縛り付けられた紐状の連結手段の一方の紐端を、前記補助貫通孔に表側から挿通して一方の養生シートの裏面側に位置させ、かつ他方の紐端を、前記第二連結用貫通孔に表側から挿通した後、該補助貫通孔に表側から挿通して一方の養生シートの裏面側に位置させて、両紐端を構造部材に巻き付けて締結することにより、連結した養生シート同士を前記構造部材に固定するようにしたことを特徴とする養生シート設置方法である。
【００１４】
上記構成とするとことにより、簡便な作業手順により、養生シート付き構築物を構築することができる。
【発明の効果】
【００１５】
本発明は、養生シート間に隙間ができず、しかも汎用品から容易に製造可能であり、しかも運搬時や収納時にコンパクトな形態とすることができる効果がある。
【図面の簡単な説明】
【００１６】
【図１】（ａ）は養生シートの正面図、（ｂ）は養生シートの背面図
【図２】（ａ）は養生シートの連結機構を示す正面図、（ｂ）はその背面図
【図３】（ａ）は連結前における帯状補助シート部を示した、図１におけるＡ−Ａ線部分横断面図、（ｂ）は連結状態における帯状補助シート部を示した、図２におけるＢ−Ｂ線部分横断面図
【図４】従来品の養生シートを示す正面図
【発明を実施するための形態】
【００１７】
本発明の養生シートを添付図面に従って説明する。
図１ａに示すように、養生シート１Ａは、矩形状をなし、例えば縦５４００ｍｍ、横１８００ｍｍの寸法形状である第一シート本体部１０Ａを備えている。また、該第一シート本体部１０Ａの側縁部のうち、隣接する養生シート１Ｂ（図２参照）側に臨む第一側縁部３１Ａには、その端縁に沿って第一連結用貫通孔１１Ａが複数設けられている。さらに、各第一連結用貫通孔１１Ａには、結束に用いる紐状の連結手段１２が挿通されて縛り付けてある。具体的には、該連結手段１２は各第一連結用貫通孔１１Ａから二股に分岐されて２本の紐端が差し出されている。なお、前記第一側縁部３１Ａは、養生シート１Ａが足場等の構造部材（例えば、支柱Ｐ）に固定された状態で鉛直方向に沿う側縁部である。
【００１８】
また、図１ｂに示すように、養生シート１Ａは、前記シート本体部１０Ａにおける第一側縁部３１Ａの裏面側に取り付けられた帯状補助シート部２０を備えている。該帯状補助シート部２０の平行な長手側縁２２，２３は、前記シート本体部１０Ａの第一側縁部３１Ａの端縁に平行とされ、かつ該平行な長手側縁２２，２３のうち外側に位置する第一長手側縁２２が、前記シート本体部１０Ａに縫い付けられて固定されることにより、図３ａに示すように、該帯状補助シート部２０が該シート本体部１０Ａと重なるようにして内向きに差し出されている。また、該帯状補助シート部２０には、該第一長手側縁２２とは反対側で先端側となる第二長手側縁２３に沿って前記第一連結用貫通孔１１Ａに対応した位置に補助貫通孔２１が複数設けられている。上記養生シート１Ａは、帯状補助シート部を備えない汎用の養生シートに、帯状シートを縫い付けて帯状補助シート部２０とするだけで作製できるため、製造コストの高騰を抑制できる。
【００１９】
次に、図２に従って、互いに隣接する養生シート１Ａ，１Ｂ同士を連結した連結機構５０を以下に説明する。なお、養生シート１Ａと養生シート１Ｂとは、同寸法かつ同形状であり、養生シート１Ｂの説明において、上記養生シート１Ａと同じ内容については説明を簡略、又は省略することとする。また、図２ｂにおいては、連結手段１２と支柱Ｐは省略している。
【００２０】
他方の養生シート１Ｂにあって、第二シート本体部１０Ｂの側縁部のうち、一方の養生シート１Ａ側に臨む第二側縁部３１Ｂには、該第二側縁部３１Ｂの端縁に沿って第二連結用貫通孔１１Ｂが複数設けられている。該第二連結用貫通孔１１Ｂは、前記第一連結用貫通孔１１Ａに対応する位置に設けられている。
【００２１】
そして、互いに隣接する養生シート１Ａ，１Ｂ同士が連結された状態にあっては、図３ｂに示すように、一方の養生シート１Ａの帯状補助シート部２０が、固定された第一長手側縁２２を折り曲げ部２０Ａとして前記差し出し方向とは逆側に折り返されることにより、先端側の第二長手側縁２３が他方の養生シート１Ｂに向けて突き出される。
【００２２】
これと共に、該帯状補助シート部２０が、他方の養生シート１Ｂの第二側縁部３１Ｂの裏面側と重なり合い、この状態で紐状の連結手段１２が、第一連結用貫通孔１１Ａ、第二連結用貫通孔１１Ｂ、及び補助貫通孔２１に、それぞれ挿通され、さらに、足場を構成する支柱Ｐに巻き付けられて締結されている。具体的には、第一連結用貫通孔１１Ａに挿通されて縛り付けられた紐状の連結手段１２のうち一方の紐端が、補助貫通孔２１に表側から挿通されて養生シート１Ａの裏面側に配置され、かつ他方の紐端が、第二連結用貫通孔１１Ｂに表側から挿通された後補助貫通孔２１に表側から挿通されて養生シート１Ａの裏面側に配置されている。そして両紐端が支柱Ｐに巻き付けられている。
【００２３】
上記構成とすることにより、養生シート１Ａ，１Ｂ同士の間隙に帯状補助シート部２０が介在しつつ、連結した養生シート１Ａ，１Ｂ同士が支柱Ｐに架設されることとなり、養生シート１Ａ，１Ｂの連結部位に隙間が生じない養生シート付き構築物５２が提供されることとなる。
【００２４】
なお、互いに隣接する養生シート１Ａ，１Ｂ同士を支柱Ｐに固定しつつ、連結状態とする手順は様々に提供されうる。一例を挙げれば、まず、隣接する養生シート１Ａ，１Ｂを、足場の支柱Ｐや横架材等に取り付けて吊り下げ状態とし、次に、一方の養生シート１Ａの帯状補助シート部２０を、折り曲げ部２０Ａで前記差し出し方向とは逆側に折り返して該帯状補助シート部２０を他方の養生シート１Ｂの第二側縁部３１Ｂの裏面側に重ねつつ、第一連結用貫通孔１１Ａに挿通されて縛り付けられた紐状の連結手段１２のうち一方の紐端を、補助貫通孔２１に表側から挿通して養生シート１Ａの裏面側に位置させ、かつ他方の紐端を、第二連結用貫通孔１１Ｂに表側から挿通した後補助貫通孔２１に表側から挿通して養生シート１Ａの裏面側に位置させて、両紐端を支柱Ｐに巻き付けて締結する手順が好ましい。
【００２５】
本発明は、上述した実施例に限定されることはなく、本発明の主旨を逸脱しない範囲で設計変更を行ったり、適宜組み合わせたりすることは勿論可能である。
例えば、上記帯状補助シート部２０は、養生シート１Ａが足場等の構造部材（支柱Ｐ）に固定された状態で鉛直方向に沿う第一側縁部３１に設けられているが、第一シート本体部１０Ａの上縁部あるいは下縁部に沿って設けられている構成としても勿論よい。さらに望ましくは、第一シート本体部１０Ａの上縁部あるいは下縁部に沿って設けられた帯状補助シート部が、水平方向に配された足場等の構造部材（横架材）に固定されるようにしてもよい。また、紐状の連結手段１２が、第一連結用貫通孔１１Ａ、第二連結用貫通孔１１Ｂ、及び補助貫通孔２１に挿通される順序や、足場を構成する支柱Ｐに巻き付けられる締結態様は様々に変更可能である。また、紐状の連結手段１２は単数であってもよいし複数であってもよい。
【符号の説明】
【００２６】
１Ａ，１Ｂ  養生シート
１０Ａ      第一シート本体部
１０Ｂ      第二シート本体部
１１Ａ      第一連結用貫通孔
１１Ｂ      第二連結用貫通孔
１２        連結手段
２０        帯状補助シート部
２０Ａ      折り曲げ部
２１        補助貫通孔
２２        第一長手側縁
３１Ａ      第一側縁部
３１Ｂ      第二側縁部
５０        養生シート連結機構
５２        養生シート付き構築物
Ｐ          支柱（構造部材）
【図１】
0005602663.tif 000002
【図２】
0005602663.tif 000003
【図３】
0005602663.tif 000004
【図４】
0005602663.tif 000005